(57)【特許請求の範囲】
【請求項１】
内部に光源を収納してなる照明器具本体を支柱の頂部に支持する照明器具の支持構造において、
照明器具本体の支柱受部と、同支柱受部に対して傾動自在に構成し、支柱に沿って内側に一対の突部を有する支柱クランプと、同支柱クランプの支柱挿入端側の固定端と支柱挿入奥部の可動端に嵌入する複数本の締付ボルトとを有して構成し、
また固定端側において支柱クランプは遊度を有して支柱受部に支持し、
支柱受部に対して支柱クランプがフリーの状態のとき、支柱の頂部に支柱受部と支柱クランプを当接し、次に可動端の締付ボルトを締付けて支柱クランプを可動端側において押圧し、かかる後、さらに可動端の締付ボルトを締付けて支柱クランプを支柱に対して平行にして、支柱受部に向かって支柱クランプが全体的に平均した圧力で圧接されるように構成したことを特徴とする照明器具の支持構造。
【請求項２】
前記支柱受部と前記支柱クランプとの間に、複数のボルト挿入筒を形成したことを特徴とする請求項１記載の照明器具の支持構造。
【請求項３】
前記支柱クランプは固定端側において、下面に切欠きを有して構成したことを特徴とする請求項１及び請求項２記載の照明器具の支持構造。
【発明の詳細な説明】
【０００１】
【発明の属する技術分野】
本発明は照明器具の支持構造の改良に関する。
【０００２】
【従来の技術】
従来、高速道路や駅前広場等で、照明器具を支柱の頂部に支持し使用することが行なわれている。例えば図９示すように、内部に反射鏡２と光源３を装着してなる照明器具本体１の支持部４に、円筒状の支柱受５を一体的構成し、さらに同支柱受５に支柱６を嵌入し、支柱受５の外側より支柱６に向かって複数本のボルト７を螺合し、支柱に照明器具を支持固定している。また図９において、８は照明器具本体の光源を収納する部屋と支柱受を配置する部屋を仕切るための仕切板である。
【０００３】
【発明が解決しようとする課題】
ところで、上記した照明器具の支持構造によると、支柱受を配置する部屋は一般に狭く上下複数箇所のボルトの締付作業に手数を要する欠点がある。また支柱に照明器具を確実に支持するには、全部のボルトをできる限り均一に締付ける必要があり、締付作業が複雑となる欠点がある。また図９に示すように照明器具本体の外側に一部のボルトが出る構造によると、デザイン上美観を損なう欠点がある。
【０００４】
本発明は上記の点に鑑み発明したものであって、支柱に照明器具を確実且つ容易に支持固定することができる照明器具の支持構造を提供することを目的とする。
【０００５】
【課題を解決するための手段】
本発明は上記課題を解決するため次の構成とする。請求項１に記載の発明は、
内部に光源を収納してなる照明器具本体を支柱の頂部に支持する照明器具の支持構造に関する。
照明器具本体の支柱受部と、同支柱受部に対して傾動自在に構成し、支柱に沿って内側に一対の突部を有する支柱クランプと、同支柱クランプの支柱挿入端側の固定端と支柱挿入奥部の可動端に嵌入する複数本の締付ボルトとを有して構成し、
また固定端側において支柱クランプは遊度を有して支柱受部に支持してある。
そして、支柱受部に対して支柱クランプがフリーの状態のとき、支柱の頂部に支柱受部と支柱クランプを当接し、次に可動端の締付ボルトを締付けて支柱クランプを可動端側において押圧し、かかる後、さらに可動端の締付ボルトを締付けて支柱クランプを支柱に対して平行にして、支柱受部に向かって支柱クランプが全体的に平均した圧力で圧接されるように構成してある。
【０００６】
請求項１に記載の発明によると、支柱に照明器具を確実且つ容易に支持固定することができる。
【０００７】
請求項２に記載の発明は、前記支柱受部と前記支柱クランプとの間に、複数のボルト挿入筒を形成して構成してある。
【０００８】
請求項２に記載の発明によると、支柱に照明器具を確実且つ容易に支持固定することができる。
【０００９】
請求項３に記載の発明は、請求項１及び請求項２記載の照明器具の支持構造において、前記支柱クランプは固定端側において、下面に切欠きを有して構成してある。
【００１０】
請求項３に記載の発明によると、可動端のボルトを締め付けることにより、支柱クランプにて、照明器具を支柱に確実に支持することができる。
【００１３】
【発明の実施の形態】
以下本発明を図１乃至図８について説明する。図１において、１１は照明器具本体であって、光源収納室１２と、支柱支持室１３を有して形成してある。１４は照明器具本体１１の上側に開閉自在に支持してなる上蓋、１５は上蓋１４を開閉自在に支持するための支持具である。
１６は光源収納室１２に装着支持してなる反射鏡であって、例えばアルミニュウムで構成してある。１７は光源収納室１２の内部に支持してなるソケット支持台、１８はソケット支持台１７に固定してなるソケット、１９は照明器具本体１１の下面に配置してなる前面ガラスであって、例えば平板状の強化ガラスを用いて構成してある。２０は光源収納室１２と支柱支持室１３を仕切るための仕切板である。２１はソケット１７に装着してなる光源であって、例えば４００ワット程度の高圧放電ランプを用いて構成してある。２２は頂部に照明器具を支持してなる支柱である。
【００１４】
次に支柱２２への照明器具の取付けを図２乃至図８について説明する。
図２乃至図８において、３１は支柱支持室１３に配置してなる支柱受部であって、内面を半円筒状に形成してある。３２は支柱受部３１の内面に形成した一対の突起であり、支柱を受ける。３３，３４は支柱受部３１の内面に形成した複数のボルト挿入筒であって、支柱挿入端側に一対、支柱挿入奥部に一対形成してある。
３５は支柱受部３１に対して傾動自在に構成してなる支柱クランプであって、ボルト挿入筒３３，３４に対応する位置に空孔３６，３７を形成してある。同空孔３６はボルト挿入筒３３の外径より若干大きく形成してある。また空孔３７はボルト挿入筒３４の外径より若干小さく形成してある。
３８，３９は支柱クランプ３５の空孔３６，３７からボルト挿入筒３３，３４に螺合する複数本のボルトであって、図２，図３における支柱挿入端側の一対のボルト３８は一定の高さに設定して固定し、固定端として構成してある。また同図２，図３における支柱挿入奥部の一対ボルト３９は締付けるように構成し、可動端として構成してある。そして支柱受部３１と支柱クランプ３５との間に支柱に締付ける。なお支柱の挿入は可動端から固定端に向かって挿入するような構成にしてもよい。
また支柱クランプ３５は、固定端側において、下面に切欠き４０を有して構成してある。４１は支柱クランプ３５の内側に、長手方向の沿って一対形成した突部であって、支柱の外壁を押圧する高さに構成してある。
【００１５】
次に支柱への照明器具の取付け動作を図６乃至図８にしたがい説明する。
【００１６】
[支柱への照明器具の取付け]
▲１▼図６に示すように支柱受部３１に対して支柱クランプ３５がフリーの状態のとき、支柱の頂部に、照明器具の支柱支持室１３の支柱受部３１と支柱クランプ３５を当接する。
▲２▼かかる後、可動端のボルト３９を締付けると、支柱クランプ３５は可動端側において押圧され、図７に示すように可動端側が下降していく。
▲３▼さらに、可動端のボルト３９を締付けると、図８に示すように、支柱クランプ３５は可動端側において下降し、固定端側が上昇し、支柱クランプ３５は支柱に対して平行となり、全体的に平均した圧力で支柱を押圧し、照明器具を支柱に確実に支持することができる。
なお照明器具を支柱から取外すには、可動端側の一対のボルト３９を緩めることにより、支柱クランプ３５は、支柱へ照明器具を支持するときとは逆に動作し、取外すことができる。
【００１７】
【発明の効果】
上記した請求項１と請求項２に記載の発明によると、支柱に照明器具を確実且つ容易に支持固定することができる特別な効果がある。
【００１８】
請求項３に記載の発明によると、可動端のボルトを締め付けることにより、支柱に照明器具を確実且つ容易に支持固定することができる特別な効果がある。
【図面の簡単な説明】
【図１】本発明に係る照明器具の支持構造の概略側面図。
【図２】図１のボルト締付け前の要部斜視図。
【図３】図３の平面図。
【図４】図１のボルト締付け時の要部斜視図。
【図５】図５の平面図。
【図６】図１のボルト締付け前の要部側面図。
【図７】図１のボルト締付け途中の要部側面図。
【図８】図１のボルト締付け時の要部側面図。
【図９】従来の照明器具の支持構造を示す概略側面図。
【符号の説明】
１１  照明器具本体
１２  光源収納室
１3  支柱支持室
１４  上蓋
１６  反射鏡
１９  前面ガラス
２１  光源
２２  支柱
３１  支柱受部
３２  突起
３３，３４  ボルト挿入筒
３５  支柱クランプ
３６，３７  空孔
３８，３９  ボルト
４０  切欠き
４１  突部
【図１】
0004399635.tif 000002
【図２】
0004399635.tif 000003
【図３】
0004399635.tif 000004
【図４】
0004399635.tif 000005
【図５】
0004399635.tif 000006
【図６】
0004399635.tif 000007
【図７】
0004399635.tif 000008
【図８】
0004399635.tif 000009
【図９】
0004399635.tif 000010